(57)【特許請求の範囲】
【請求項１】
扉の木口に開口する錠箱装着用凹部に挿入されフロント裏板にて前記木口に固定される錠箱と、
それぞれが操作部材を回動自在に備え前記扉を表裏から挟持して取り付けられ、前記操作部材の軸部が錠箱機構部に連結される一対のエスカチオンユニットと、
一方の前記エスカチオンユニットの裏板に基端部が固定され前記扉の貫通穴に挿入された先端部に雌ネジを開口するスタッドナットと、
他方の前記エスカチオンユニットの裏板を貫通して前記雌ネジに螺合する裏板挟着用固定ネジと、
前記錠箱装着用凹部に連通される前記貫通穴内に配置され、前記スタッドナットに外挿されて前記貫通穴内にて該スタッドナットの軸線に直交する方向で一対の支持腕を同方向に突出して該支持腕の相互の離間空間部で前記錠箱を厚み方向で挟む振止カラーと、
を具備することを特徴とする錠箱の振れ止め構造。
【請求項２】
請求項１記載の錠箱の振れ止め構造であって、
前記振止カラーは、前記スタッドナットに回動自在に支持され、前記支持腕を前記木口に向かって突出する回転姿勢で前記錠箱と非接触となり、該非接触の姿勢から少なくとも９０度回転することで一対の前記支持腕が前記錠箱を挟むことを特徴とする錠箱の振れ止め構造。
【請求項３】
請求項１または２記載の錠箱の振れ止め構造であって、
前記スタッドナットの外周には前記一方のエスカチオンユニットの裏板と前記振止カラーとの間で調整板が外挿されることを特徴とする錠箱の振れ止め構造。
【請求項４】
請求項３記載の錠箱の振れ止め構造であって、
前記振止カラーは、前記スタッドナットの先端部に装着される圧入ナットにて該先端部からの脱落が規制されることを特徴とする錠箱の振れ止め構造。
【請求項５】
請求項１または２記載の錠箱の振れ止め構造であって、
前記スタッドナットは、軸線方向の中央部の外周面に段部が形成されて該段部と前記基端部との間が小径部となり、
前記小径部には調整板が外挿されて該調整板が前記段部と前記一方のエスカチオンユニットの裏板に対向する前記支持腕の内面とに挟まれることを特徴とする錠箱の振れ止め構造。
【請求項６】
請求項１，２，３，４，５のいずれか１つに記載の錠箱の振れ止め構造であって、
前記調整板が、円環板であることを特徴とする錠箱の振れ止め構造。
【請求項７】
請求項１，２，３，４，５のいずれか１つに記載の錠箱の振れ止め構造であって、
前記調整板が、略Ｃ字状に形成され、前記スタッドナットの軸線直交方向から着脱自在となることを特徴とする錠箱の振れ止め構造。
【発明の詳細な説明】
【技術分野】
【０００１】
本発明は、扉の木口にフロント裏板のみが固定されることにより片持ち支持状態となって扉に収容される錠箱の奥側を振れ止めするための錠箱の振れ止め構造に関する。
【背景技術】
【０００２】
扉に設けられる施解錠装置の本体である錠箱は、扉に対して種々の取付構造で取り付けられ固定されるが、一般的には、図１４に示すように扉５００の木口５０１に形成される凹部５００ａ内や空洞５００ｂ内にその木口側から錠箱５０５を挿入配置し、扉木口５０１に対して、錠箱５０５の木口側に形成されているフランジ状のフロント板５０７をビスなど固定部材で固定する構造となっている。扉内に配置された錠箱５０５には、扉５００の表裏面から座部材、所謂エスカチオン５０９を介して内方向に突設される操作部材５１１、例えばハンドルやレバー，ノブなどの軸５１１ａが錠箱５０５の軸受に連結される。また座部材間に配置される支持柱が錠箱５０５の周囲に貫通しており、表裏の座部材５０９は扉５００に対して複数の支持柱とビスで位置決め、固定されている。
【０００３】
錠箱５０５に配置構成される軸受部分は、木口側からは距離があり、扉５００に対しフロント板５０７を介して固定されている木口側に比べ、錠箱奥方は扉５００に対して支持がなく、扉５００の表裏に配置される操作部材５１１の軸５１１ａのみで支えられている状態である。つまり、錠箱５０５は、フロント板５０７のみによって片持ち状で支持されている。このようなことから錠箱５０５は、木口側に対して奥側が扉５００の表裏面方向に振れてしまい、軸芯が真直にならなかったり、偏芯したり、一方の座部材５０９の固定状態に対して他方が位置ずれを起こす、など、精度が高くなかった。
【０００４】
このことから、扉内では、錠箱５０５が動く、すなわち扉の表裏面方向に振れることにより、シリンダーやハンドル等の作動不良を引き起こしたり、組立時に錠箱５０５が振れたりし、作業性が悪くなることもあった。
【０００５】
従来、上記のような不具合に対し、表裏ケースの対向面である裏面に、振れ止め具を設けることが行われていた（例えば特許文献１参照）。その振れ止め具は、厚みを変えられる複数の調整板を具備し、表裏ケースからの錠箱の位置を支持し、扉に対する錠箱の振れ止めを行っていた。
【０００６】
しかしながら、この例では、表裏のケースにそれぞれ調整板を設けて、錠箱を表裏から挟み込み錠箱の位置調整を行うことになり、例えば両ケース間の距離が大きく、すなわち扉の厚さが大きく、かつ厚み方向の中央ではなくどちらかに偏っている場合などに、調整板を多く必要とし、かつ厚み方向のバランスをとるためにそれぞれからの突出量を工夫しなければならない。特に表裏ケースの扉への取り付け時に、それぞれに調整板が突出しており、作業性としてはあまりよくない。
【先行技術文献】
【特許文献】
【０００７】
【特許文献１】特開２００４−１７６４５８号公報
【発明の概要】
【発明が解決しようとする課題】
【０００８】
本発明は上記状況に鑑みてなされたもので、その目的は、錠箱の振れ止めを良好な作業性の下で行うことができる錠箱の振れ止め構造を提供することにある。
【課題を解決するための手段】
【０００９】
次に、上記の課題を解決するための手段を、実施の形態に対応する図面を参照して説明する。
本発明の請求項１記載の錠箱の振れ止め構造は、扉１１の木口１３に開口する錠箱装着用凹部１５に挿入されフロント裏板１７にて前記木口１３に固定される錠箱１９と、
それぞれが操作部材２１を回動自在に備え前記扉１１を表裏から挟持して取り付けられ、前記操作部材２１の軸部２３が錠箱機構部２５に連結される一対のエスカチオンユニット２７と、
一方の前記エスカチオンユニット２７の裏板２９に基端部３１が固定され前記扉１１の貫通穴３３に挿入された先端部３５に雌ネジ３７を開口するスタッドナット３９と、
他方の前記エスカチオンユニット２７の裏板２９を貫通して前記雌ネジ３７に螺合する裏板挟着用固定ネジ４１と、
前記錠箱装着用凹部１５に連通される前記貫通穴３３内に配置され、前記スタッドナット３９に外挿されて前記貫通穴３３内にて該スタッドナット３９の軸線４３に直交する方向で一対の支持腕４５を同方向に突出して該支持腕４５の相互の離間空間部４７で前記錠箱１９を厚み方向で挟む振止カラー４９と、
を具備することを特徴とする。
【００１０】
この錠箱の振れ止め構造では、一対のエスカチオンユニット２７を扉１１に表裏から挟持固定するためのスタッドナット３９に振止カラー４９が外挿され、振止カラー４９の支持腕４５で、錠箱１９の木口側から奥側部分が厚み方向で挟持されることにより、少ない部品を用い、簡素な構造で、容易に振れ止めがなされる。
【００１１】
請求項２記載の錠箱の振れ止め構造は、請求項１記載の錠箱１９の振れ止め構造であって、
前記振止カラー４９は、前記スタッドナット３９に回動自在に支持され、前記支持腕４５を前記木口１３に向かって突出する回転姿勢で前記錠箱１９と非接触となり、該非接触の姿勢から少なくとも９０度回転することで一対の前記支持腕４５が前記錠箱１９を挟むことを特徴とする。
【００１２】
この錠箱の振れ止め構造では、支持腕４５が木口１３に向かって突出する退避位置では、外エスカチオンユニット２７ｂが錠箱１９に干渉せずに挿入が可能となり、外エスカチオンユニット２７ｂが挿入された後には、振止カラー４９が回転されることで、支持腕４５にて錠箱１９が挟持されて振れ止めされる。
【００１３】
請求項３記載の錠箱の振れ止め構造は、請求項１または２記載の錠箱１９の振れ止め構造であって、
前記スタッドナット３９の外周には前記一方のエスカチオンユニット２７の裏板２９と前記振止カラー４９との間で調整板５１が外挿されることを特徴とする。
【００１４】
この錠箱の振れ止め構造では、調整板５１を複数枚で構成することで、その数が減らされれば、振止カラー４９が一方のエスカチオンユニット２７の裏板２９に接近する方向に位置調整され、調整板５１の数が増やされれば、振止カラー４９が一方のエスカチオンユニット２７の裏板２９から離れる方向に位置調整される。
【００１５】
請求項４記載の錠箱の振れ止め構造は、請求項３記載の錠箱１９の振れ止め構造であって、
前記振止カラー４９は、前記スタッドナット３９の先端部３５に装着される圧入ナット５３にて該先端部３５からの脱落が規制されることを特徴とする。
【００１６】
この錠箱の振れ止め構造では、抜止機能を有する圧入ナット５３がスタッドナット３９の先端部３５から装着されることで、振止カラー４９の先端部３５からの脱落が規制され、スタッドナット３９の外周に、振止カラー４９の脱落を規制するための構造が不要となる。
【００１７】
請求項５記載の錠箱の振れ止め構造は、請求項１または２記載の錠箱１９の振れ止め構造であって、
前記スタッドナット３９Ａは、軸線方向の中央部５５の外周面に段部５７が形成されて該段部５７と前記基端部３１との間が小径部５９となり、
前記小径部５９には調整板５１が外挿されて該調整板５１が前記段部５７と前記一方のエスカチオンユニット２７の裏板２９に対向する前記支持腕４５の内面６１とに挟まれることを特徴とする。
【００１８】
この錠箱の振れ止め構造では、スタッドナット３９Ａの小径部５９が一方のエスカチオンユニット２７の裏板２９に固定されていて、この小径部５９に調整板５１が外挿される。したがって、振止カラー４９は、一方のエスカチオンユニット２７の裏板２９に対向する支持腕４５の内面６１が調整板５１に当接し、この支持腕４５が調整板５１を介して段部５７に支持されることで、他方のエスカチオンユニット２７側への移動が規制される。
【００１９】
請求項６記載の錠箱の振れ止め構造は、請求項１，２，３，４，５のいずれか１つに記載の錠箱１９の振れ止め構造であって、
前記調整板５１が、円環板であることを特徴とする。
【００２０】
この錠箱の振れ止め構造では、スタッドナット３９の貫通した調整板５１は、貫通方向のみでスタッドナット３９からの離脱が可能となり、スタッドナット３９の軸線直交方向での離脱が不能となる。
【００２１】
請求項７記載の錠箱の振れ止め構造は、請求項１，２，３，４，５のいずれか１つに記載の錠箱１９の振れ止め構造であって、
前記調整板５１が、略Ｃ字状に形成され、前記スタッドナット３９の軸線直交方向から着脱自在となることを特徴とする。
【００２２】
この錠箱の振れ止め構造では、調整板５１が円環の一部が開放されたＣ字状となることで、開放部をスタッドナット３９の軸線直交方向から圧入して、調整板５１をスタッドナット３９に装着することが可能となる。
【発明の効果】
【００２３】
本発明に係る請求項１記載の錠箱の振れ止め構造によれば、振止カラーを備えることで、扉の木口部分にのみ固定される錠箱を、扉の内部の錠箱の奥側部分の位置で、その厚み方向で挟持状態とされることとなり、錠箱は振止カラーの一対の支持腕に支えられて、扉への錠箱の組み付け、及び組み付けられた錠箱に対するエスカチオンユニットの組み付けを安定して行うことが可能となり、少ない部品点数で簡素な構造とされながらも、容易に且つ高精度に支持して、錠箱の振れを抑止し、作業性を向上させることが可能となる。
【００２４】
請求項２記載の錠箱の振れ止め構造によれば、支持腕を退避位置にして錠箱を扉側に挿入した後、振止カラーを回転するのみで、一対の支持腕で錠箱を挟んで容易に錠箱を振れ止めできる。
【００２５】
請求項３記載の錠箱の振れ止め構造によれば、調整板を具備させ、この調整板を複数枚で構成して枚数を増減することで、一方のエスカチオンユニットの裏板からの振止カラーの位置を調整することができる。これにより、扉の厚さの異なる場合や、錠箱の厚さの異なる場合、扉に対する錠箱の取付位置が異なる場合など、種々の構成違いに対応可能となり、汎用性が増す。
【００２６】
請求項４記載の錠箱の振れ止め構造によれば、スタッドナットの先端部に圧入ナットを装着することで、振止カラーと調整板とを、この圧入ナットにてスタッドナットからの脱落を防ぐとともに、裏板へ振止カラー及び調整板を接触状態とすることができ、この裏板からの距離で設定しやすくなり、すなわち圧入ナットにて挟んでしまうことで軸線方向に位置決めが可能となる。そして、容易にズレることがないことから、錠箱の支持を安定させることとなる。
【００２７】
請求項５記載の錠箱の振れ止め構造によれば、スタッドナットの中央部に段部を形成し、この段部の振止カラー側の小径部に調整板を配置したことで、スタッドナットの段部を基準に振止カラーが位置決めされて、錠箱は、他方のエスカチオンユニット側へ押圧する方向に当接支持でき、この当接位置を基準に錠箱の振れ止めを行うことが可能となる。
【００２８】
請求項６記載の錠箱の振れ止め構造によれば、調整板の形状を、無端リング状な円環板としたので、予めスタッドナットに組み付けておくことが可能となり、スタッドナットに対して調整板が貫通状態となっていることからこの、調整板を脱落不能にして確実にスタッドナットに外挿できる。
【００２９】
請求項７記載の錠箱の振れ止め構造によれば、調整板の形状をＣ字状に形成したことで、スタッドナットに対してスタッドナットの軸線直交方向で脱着が可能となり、スタッドナットに対して調整板を装着した後においても、例えば調整板を複数枚で構成されることとすれば、その数の増減で振止カラーを軸線方向に任意の位置へ調整できる。
【図面の簡単な説明】
【００３０】
【図１】本発明に係る錠箱の振れ止め構造を備えた扉の平断面図である。
【図２】図１の扉の縦断面図である。
【図３】図２の要部分解図である。
【図４】振止カラーに挟持された錠箱上部の側面図である。
【図５】錠箱装着用凹部の形成された戸先の斜視図である。
【図６】振止カラーに挟持された錠箱上部の斜視図である。
【図７】図６に示した調整板・振止カラー・圧入ナットの分解斜視図である。
【図８】（ａ）はエスカチオンユニット挿入前の縦断面図、（ｂ）はエスカチオンユニット挿入後の縦断面図である。
【図９】（ｃ）は振止カラーを回転した後の縦断面図、（ｄ）は他方のエスカチオンユニットを配置した縦断面図である。
【図１０】調整板を使用しない変形例の縦断面図である。
【図１１】調整板が支持腕の内側に配置される第２の実施の形態の縦断面図である。
【図１２】図１１の要部分解図である。
【図１３】図１２に示す振止カラーに挟持された錠箱上部の斜視図である。
【図１４】（ａ）は錠箱装着用凹部の形成される扉の平断面図、（ｂ）は内部が空洞である扉の平断面図である。
【発明を実施するための形態】
【００３１】
以下、本発明の実施の形態を図面を参照して説明する。
図１は本発明に係る錠箱の振れ止め構造を備えた扉の平断面図である。
扉１１の木口１３には錠箱装着用凹部１５が開口される。錠箱装着用凹部１５は、木口１３から奥側に所定長凹んで形成される。錠箱装着用凹部１５は、錠箱１９の厚みより広く、錠箱１９の振れを規制するものではない。図例では、凹部状に形成されるが、錠箱装着用凹部１５が空洞（図１４（ｂ）参照）、すなわち扉の構造として空洞の有る箱状の構造となっても本発明に係る構造は適用可能となる。
【００３２】
錠箱１９は、奥側が錠箱装着用凹部１５に挿入され、フロント裏板１７にて木口１３に固定される。フロント裏板１７は、表面から木口１３にビス固定されるフロント板７１にて覆われる。錠箱１９には、ラッチボルト７３、デッドボルト７５、トリガー７７がフロント板７１から突出され進退自在となる。
【００３３】
扉１１には、一対のエスカチオンユニット２７、本実施の形態では内エスカチオンユニット２７ａと外エスカチオンユニット２７ｂとが表裏を挟持して取り付けられる。本明細書中、外エスカチオンユニット２７ｂは一方のエスカチオンユニット２７と称し、内エスカチオンユニット２７ａは他方のエスカチオンユニット２７と称す。それぞれのエスカチオンユニット２７は、操作部材２１、例えば内レバーハンドル２１ａ，外レバーハンドル２１ｂを回動自在に支持する。操作部材２１のそれぞれの軸部２３（内軸部２３ａ，外軸部２３ｂ）は、錠箱１９内の錠箱機構部２５に連結される。
【００３４】
図２は図１の扉の縦断面図である。
内エスカチオンユニット２７ａは裏板２９である室内側裏板２９ａを備え、外エスカチオンユニット２７ｂは裏板２９である室外側裏板２９ｂを備える。一方のエスカチオンユニット２７の裏板２９である室外側裏板２９ｂには、基端部３１が固定され扉１１の貫通穴３３に挿入された先端部３５に雌ネジ３７を開口するスタッドナット３９が設けられている。基端部３１は、加締め等により固定される。なお、貫通穴３３は、内外エスカチオン同士を連結するために貫通形成されているとともに、この貫通穴３３の一部が錠箱装着用凹部１５の一部と連通している。また、他方のエスカチオンユニット２７の裏板２９である室内側裏板２９ａには、スタッドナット３９の雌ネジ３７に螺合する裏板挟着用固定ネジ４１が挿通される。つまり、雌ネジ３７に裏板挟着用固定ネジ４１が螺合することで、内エスカチオンユニット２７ａと外エスカチオンユニット２７ｂが扉１１を挟んで相互に固定される。外エスカチオンユニット２７ｂの表面には、ドア自動開閉システムのためのアンテナユニット７９が取り付けられる。
【００３５】
図３は図２の要部分解図である。
上記のように、室内側裏板２９ａは、裏板挟着用固定ネジ４１がスタッドナット３９に螺合することで固定される。裏板挟着用固定ネジ４１には、緩み止めワッシャ８１が外挿される。この固定された室内側裏板２９ａには、カバー取付用スタッド８３が加締め固定されている。カバー取付用スタッド８３には内エスカチオンユニット２７ａの外装カバー８５を貫通した取付ネジ８７が螺合され、室内側裏板２９ａに外装カバー８５が取り付けられている。
【００３６】
図４は振止カラーに挟持された錠箱上部の側面図である。
扉１１の内部に収容された錠箱１９を、室外側から見ると、スタッドナット３９は、錠箱１９の上辺部１９より浮上した位置に配設されている。したがって、木口１３から挿入される錠箱１９は、スタッドナット３９とは干渉しない。このスタッドナット３９には、後述する振止カラー４９が外周に挿入（外挿）されている。
【００３７】
図５は錠箱装着用凹部の形成された戸先の斜視図である。
なお、扉１１には錠箱１９の装着される位置に対応して、種々の穴が穿設されている。その代表的なものとしては、配線用穴８９、エスカチオン連結用穴９１、ハンドル軸用穴９３、予備穴９５、シリンダー回転伝達用リンク軸穴９７、エスカチオン連結用穴９９、シリンダー錠用穴１０１等が挙げられる。これら図５に示す穴は、例えば外エスカチオンユニット２７ｂが取り付けられることによって覆われる。
【００３８】
図６は振止カラーに挟持された錠箱上部の斜視図、図７は図６に示した調整板・振止カラー・圧入ナットの分解斜視図である。
スタッドナット３９に外挿される上記の振止カラー４９は、貫通穴内に配置される。振止カラー４９は、スタッドナット３９の軸線４３に直交する方向で一対の支持腕４５を同方向に突出させる。この一対の支持腕４５，４５の相互間には離間空間部４７が形成される。この離間空間部４７には、錠箱１９の上辺部が厚み方向で嵌るようになされている。つまり、振止カラー４９は、支持腕４５で錠箱１９を挟むことができる。
【００３９】
スタッドナット３９の外周には一方のエスカチオンユニット２７の裏板２９と振止カラー４９との間で、所望の厚さの調整板５１、本実施形態では薄板状の複数枚の調整板５１が外挿される。複数の調整板５１の数が減らされれば、振止カラー４９が一方の外エスカチオンユニット２７ｂの室外側裏板２９ｂに接近する方向に位置調整され、調整板５１の数が増やされれば、振止カラー４９が一方の外エスカチオンユニット２７ｂの室外側裏板２９ｂから離れる方向に位置調整される。これにより、調整板５１の枚数を増減することで、室外側裏板２９ｂからの振止カラー４９の位置を調整することができるようになされている。
【００４０】
振止カラー４９は、スタッドナット３９の先端部３５に装着される圧入ナット５３にて先端部３５からの脱落が規制される。抜止機能を有する圧入ナット５３がスタッドナット３９の先端部３５から装着されることで、スタッドナット３９の外周に、振止カラー４９の脱落を規制するための複雑な構造が不要となる。その結果、振止カラー４９を調整板５１と圧入ナット５３に挟んで軸線方向に位置決めできるようになされている。すなわち取り付ける対象によって、調整板５１の枚数と振止カラー４９とで、スタッドナット３９への取付状態が軸線方向での位置が変わってしまうが、この圧入ナット５３であれば、圧入装着で位置保持となり、スタッドナット３９の外周面に彫溝を形成するなどの煩雑さがなくなる。
【００４１】
振止カラー４９は、スタッドナット３９に回動自在に支持され、支持腕４５を木口１３に向かって突出する回転姿勢で錠箱１９と非接触となる。つまり、錠箱１９の挿入時には、支持腕４５が退避位置に配置可能となっている。非接触の姿勢から少なくとも９０度回転することで一対の支持腕４５が錠箱１９を挟む位置に配置される。本振れ止め構造では、支持腕４５が木口１３に向かって突出する退避位置では、外エスカチオンユニット２７ｂが錠箱１９に干渉せずに挿入が可能となり、外エスカチオンユニット２７ｂが挿入された後には、振止カラー４９が回転されることで、支持腕４５にて錠箱１９が挟持されて振れ止めされる。これにより、振止カラー４９を回転するのみで、支持腕４５で錠箱１９を挟んで容易に錠箱１９を振れ止めできるようになされている。
【００４２】
本実施の形態では、調整板５１が、円環板で形成されている。スタッドナット３９の貫通した調整板５１は、貫通方向のみでスタッドナット３９からの離脱が可能となり、スタッドナット３９の軸線直交方向での離脱が不能となる。このような貫通部材とすることで、調整板５１を脱落不能にして確実にスタッドナット３９に外挿できる。
【００４３】
なお、調整板５１は、Ｃ字状に開放して形成することで、スタッドナット３９の軸線直交方向から着脱自在としてもよい。調整板５１が開放されたＣ字状となることで、開放部をスタッドナット３９の軸線直交方向から圧入して、調整板５１をスタッドナット３９に装着することが可能となる。これにより、スタッドナット３９に装着した後においても振止カラー４９を軸線方向に位置調整できるようになる。
【００４４】
次に、上記の構成を有する錠箱の振れ止め構造の作用を説明する。
図８（ａ）はエスカチオンユニット挿入前の縦断面図、（ｂ）はエスカチオンユニット挿入後の縦断面図、図９（ｃ）は振止カラーを回転した後の縦断面図、（ｄ）は他方のエスカチオンユニットを配置した縦断面図である。
本振れ止め構造では、予め扉１１の厚さ、及び扉１１の厚さ方向に対する錠箱１９の取付位置が分かっており、それに合せて調整板５１の数が決められ、工場内で組み立てられる。室外側裏板２９ｂにはスタッドナット３９が固定されており、調整板５１も振止カラー４９も、このスタッドナット３９に予め組み付けられる。
【００４５】
この状態での振止カラー４９の支持腕４５は、９０〜１８０°挟持位置から回転されていて、錠箱１９と干渉しない位置とされる。現場では、まず、錠箱１９が扉１１に組み込まれ、錠箱１９は、例えば木口側が扉１１に仮固定され、その後、図８（ａ）に示すように、外エスカチオンユニット２７ｂが貫通穴３３が取り付けられる。
【００４６】
その際に、図８（ｂ）に示すように、貫通穴３３には、スタッドナット３９に外挿されて回動自在となった振止カラー４９が配置される。振止カラー４９は、支持腕４５が木口１３あるいはその反対側を向く姿勢に回転されていることで、貫通穴３３に挿入される際、支持腕４５が錠箱１９に当たることがない。
【００４７】
錠箱１９の振れ止めを行うには、貫通穴３３内で、振止カラー４９を回転させて（図９（ｃ））、一対の支持腕４５を錠箱１９の両面に当接するようにして挟持する。この状態で、錠箱１９は扉１１の厚さ方向の所定の位置に収まる。
【００４８】
そして、内エスカチオンユニット２７ａの取り付けは、図９（ｄ）に示すように室内側裏板２９ａに通した裏板挟着用固定ネジ４１をスタッドナット３９の雌ネジ３７に螺合することで、外エスカチオンユニット２７ｂに締結固定される。
【００４９】
なお、両エスカチオンユニット２７には、ハンドルやノブなどの操作部材２１や、シリンダー錠、サムターンなどが取り付けられていて、それらの軸部２３が、錠箱内の各位置にそれぞれ適宜連結される。また、エスカチオンユニット２７を取り付けた後に、これらの操作部材２１を錠箱１９に取り付けてもよい。
【００５０】
このように、本振れ止め構造では、一対のエスカチオンユニット２７を扉１１に表裏から挟持固定するためのスタッドナット３９に振止カラー４９が外挿され、振止カラー４９の支持腕４５で、錠箱１９の奥側部分が厚み方向で挟持されることにより、少ない部品を用い、簡素な構造で、容易に振れ止めがなされる。
【００５１】
図１０は調整板を使用しない変形例の縦断面図である。
なお、上記の例では、調整板５１を用いる構成を説明したが、調整板５１は必ずしも使用しなくてもよい。図１０に示すように、扉１１の厚さが薄く、支持腕４５の厚み寸法が、室外側裏板２９ｂから錠箱１９までの距離に一致する場合には、調整板５１は省略されることとなる。
【００５２】
次に、本発明に係る錠箱の振れ止め構造の第２の実施の形態を説明する。
図１１は調整板が支持腕の内側に配置される第２の実施の形態の縦断面図、図１２は図１１の要部分解図、図１３は図１２に示す振止カラーに挟持された錠箱上部の斜視図である。なお、図１〜図９に示した部材と同一の部材には同一の符号を付し重複する説明は省略するものとする。
この実施の形態では、スタッドナット３９Ａは、軸線方向の中央部５５に段部５７が形成されて段部５７と基端部３１との間が小径部５９となる。小径部５９には複数枚の調整板５１が外挿され、調整板５１は段部５７と室外側裏板２９ｂに対向する支持腕４５の内面６１とに挟まれている。
【００５３】
この実施の形態に係る振れ止め構造では、スタッドナット３９Ａの小径部５９が室外側裏板２９ｂに固定されていて、この小径部５９に調整板５１が外挿される。したがって、振止カラー４９は、室外側裏板２９ｂに対向する支持腕４５の内面６１が調整板５１に当接する。この支持腕４５が調整板５１を介して段部５７に支持されることで、外エスカチオンユニット２７ｂ側への移動が規制される。調整板５１は、段部５７に対する距離を変更するものとなる。また、この距離の変更は、小径部５９の長さによっても変えられることとなる。
この実施の形態による振れ止め構造によれば、錠箱１９を、他方のエスカチオンユニット２７ａ側へ押圧する方向に当接支持でき、この当接位置を基準に錠箱１９を振れ止めできる。
【００５４】
なお、図１１に示した上記例では、複数枚の調整板５１を支持腕４５の内面６１に当接した状態とし、段部５７から離間する位置に錠箱１９が配置される構成とされているが、この第２の実施の形態では、室内側裏板２９ｂと段部５７との間に、振止カラー４９の一方の支持腕４５と複数枚の調整板５１とが組み合わされて配置される構成とされており、すなわち複数で構成される調整板５１を支持腕４５の内面６１と振止カラー４９の外側とに分けて配置させることで、室外側裏板２９ｂからの支持腕４５の位置を変えることが可能となり、室外側裏板２９ｂからの錠箱１９の支持位置を振止カラー４９外側に配置する調整板５１の枚数で調整することが可能となる。
【００５５】
したがって、上記した各実施の形態に係る錠箱１９の振れ止め構造によれば、錠箱１９の振れ止めを良好な作業性の下で行うことができる。
【００５６】
本発明は上記の実施形態に限定されるものではなく、明細書の記載、並びに周知の技術に基づいて、当業者が変更、応用することも本発明の予定するところであり、保護を求める範囲に含まれる。例えば、振止カラー４９は、錠箱１９の上部分に配置ではなく、錠箱１９の下部分に配置してもよく、また、上と下との両方に配置してもよく、さらには、錠箱１９の奥行き方向に複数配置してもよく、好ましくは扉１１の表裏面に配置される両エスカチオンを互いに固定するためのスタッドナット３９の位置と、錠箱１９の位置とで適宜設定することとする。
【符号の説明】
【００５７】
１１…扉
１３…木口
１５…錠箱装着用凹部
１７…フロント裏板
１９…錠箱
２１…操作部材
２３…軸部
２５…錠箱機構部
２７…エスカチオンユニット
２９…裏板
３１…基端部
３３…貫通穴
３５…先端部
３７…雌ネジ
３９…スタッドナット
４１…裏板挟着用固定ネジ
４３…軸線
４５…支持腕
４７…離間空間部
４９…振止カラー
５１…調整板
５３…圧入ナット
５５…中央部
５７…段部
５９…小径部
６１…内面
【図１】
0005410336.tif 000002
【図２】
0005410336.tif 000003
【図３】
0005410336.tif 000004
【図４】
0005410336.tif 000005
【図５】
0005410336.tif 000006
【図６】
0005410336.tif 000007
【図７】
0005410336.tif 000008
【図８】
0005410336.tif 000009
【図９】
0005410336.tif 000010
【図１０】
0005410336.tif 000011
【図１１】
0005410336.tif 000012
【図１２】
0005410336.tif 000013
【図１３】
0005410336.tif 000014
【図１４】
0005410336.tif 000015